(57)【特許請求の範囲】
【請求項１】
注射器であって、該注射器は、
バレル第一端及びその反対側の注射針が取付けられるバレル第二端を備え、外側に突き出たバレルアームが取り付けられ、その中を通る内部通路を有するバレルと、
操作シリンダ第一端及び操作シリンダ第二端と、前記バレルがスライドできる操作シリンダ内壁と、前記操作シリンダ第一端に近接した親指当てと、前記バレルアームに合った大きさで、前記操作シリンダ第二端から前記操作シリンダ第一端に向かって延在する操作シリンダアーム通路とを備え、前記バレルアームが前記操作シリンダアーム通路の所で前記操作シリンダの壁から外側に突き出ており、且つ前記バレルが前記操作シリンダ内壁内をスライド可能である操作シリンダと、
前記操作シリンダの第一端の近傍で前記操作シリンダの内側に一体的に設けられ、且つ前記操作シリンダとの相対的位置関係では、前記バレルに対して前記操作シリンダと一緒に同一方向にのみ動くように取り付けられ、その大きさが前記バレルの内部通路に前記バレル第一端の位置で侵入可能な大きさであるプランジャと、を具備し、
注射器の操作者がその親指を前記操作シリンダの親指当てに置いた状態で、前記バレルアームを親指側に引くと、その操作に応じて、前記バレルの前記バレル第二端に取付けられた注射針から前記バレル内の液体が射出されるとともに、同時に前記注射針も親指側に引かれることを特徴とする注射器。
【請求項２】
請求項１に記載の注射器であって、該注射器はさらに、
前記バレル第二端近傍において前記バレルに取り付けられた針を有すること
を特徴とする注射器。
【請求項３】
請求項１に記載の注射器であって、該注射器はさらに、
前記バレルが外部流体開口部を有し、
前記外部流体開口部と連通するパイプを介して前記バレルに連通する外部流体供給源を有し、
前記操作シリンダが前記パイプの大きさの流体供給通路を有すること
を特徴とする注射器。
【発明の詳細な説明】
【技術分野】
【０００１】
本発明は、身体のある領域の端から端に亘って治療を施すための器具に係る。特に、本発明は、体組織の一部分の全体を通して、治療薬、溶液又は注入剤を提供及び注入するための装置及びシステムに関する。加えて、本発明は、標的領域の治療のために、体内のその標的領域を横切って全体に溶液を提供及び注入するための方法に関する。
【背景技術】
【０００２】
皮下注射器は、医療分野において薬物を投与するために広く用いられている。一般的に、皮下注射器は、薬瓶の栓や患者の体を貫通するための鋭利な末端部を有する針を備えている。針は、注射器バレルに対して固定的に又は取り外し可能に取り付けられる。実際の使用では、これらの注射器は、体内の一箇所の特定の部位に薬剤を提供する手段を提供する。使用時には、プランジャはバレル内に押し込まれ、それによって薬剤が放出される。このシステムは、注射器が発明されて以来ほとんど変わっていなく、治療薬の効果が隣接する細胞を通して伝達される単一の場所に治療薬を提供することを考慮したものである。ここで問題なのは、治療薬が細胞の集合体に対して作用することが意図されるようなものである時、たとえ組織の集合体の一側面から他の側面への距離が非常に小さくても、そのような伝達では、その効果が減退及び／又は遅延することである。専門医は、親指で注射器のプランジャを押し込むと同時に注射器を引き抜くことによって、上記の制約を克服すると共に拡散された薬液の提供を試みてきた。しかしながら、この技術は、習得が困難であり、また、特に所望の位置が腫瘍のように明瞭な境界を有する時は、所望の治療薬の量を所望の位置に適切に提供するには非効率的である。
【０００３】
従って、体内の細胞の集合体に沿うような態様で治療薬を射出することができる注射器の提供が望まれるのである。
【発明の概要】
【発明が解決しようとする課題】
【０００４】
それゆえに、本発明の主たる目的は、操作者による一つの動作のみで、体内の細胞の集合体に沿って治療薬を射出することができる注射器を提供することである。
【課題を解決するための手段】
【０００５】
前述の利点は、バレル、プランジャ、及びバレルを包囲し且つその中にプランジャを保持する操作シリンダから成る新規な注射器によって達成される。注射器のバレルがその第一端にフランジを有する構成の従来の注射器とは異なり、本発明に係る注射器のバレルは、片側アームを、好ましくはバレルの第一端の所に、バレルに対してほぼ垂直に位置して有する。操作シリンダはその第二端から第一端に向かって通路を有し、該通路は、片側アームが操作シリンダの第二端の位置から第一端付近へ向かう移動を許容する。操作シリンダは、その第一端のところに親指当てを備える。第一端の近傍で操作シリンダの中心部には、注射器のプランジャがある。実際の使用では、注射器の針が、治療溶液を受け入れる体の一部分の最遠端部のところで体に挿入され、そして注射器の片側アームが操作シリンダの親指当て方向へ引かれる。
【発明の効果】
【０００６】
上記の極めて自然な動き、即ち、広げた親指を支えとして人差し指を親指の方へ引くことで生み出される自然な動作により、針の通り道に沿って薬剤を拡散すると同時に注射針自体を引き抜くことができるのである。
【０００７】
前述の及びその他の本発明の目的、特徴及び利点は、添付の図面を参照しながら行う、以下の本発明の詳細な説明を読むことで、より容易に理解されるであろう。
【図面の簡単な説明】
【０００８】
【図１】図１は、本発明の一実施形態に係る注射器の縮めた状態を示した図である。
【図２】図２は、本発明の一実施形態に係る注射器の縮めた状態を他の視点から示した図である。
【図３】図３は、本発明の一実施形態に係る注射器の伸長された状態を示した図である。
【図４】図４は、本発明の一実施形態に係る注射器の操作シリンダ及びその内部のプランジャを示した図である。
【図５】図５は、本発明の一実施形態に係る注射器の操作シリンダ及びその内部のプランジャを他の視点から示した図である。
【図６】図６は、本発明の一実施形態に係る注射器の針が装着されたバレルを示した図である。
【図７】図７は、本発明の一実施形態に係る注射器のバレルを他の視点から示した図である。
【図８】図８は、外部流体供給源と共に用いた本発明の他の実施形態に係る注射器を示した図である。
【発明を実施するための形態】
【０００９】
上述した本発明の特徴、利点及び目的と、これから明らかになる他のそれらが達成され且つ詳細に理解されるように、上で簡単に要約した本発明のより詳細な実施形態についての説明を、以下、本願明細書の一部を構成する添付図面を参照しながら行う。本願に添付の図面は、本発明に係る典型的な好適な実施形態を示すに過ぎず、有効な他の実施形態に変更することを許容するものであり、本願の権利範囲を限定するものではないという点に注意すべきである。
【００１０】
本発明は、体のある領域の全体に亘って射出物を提供することの改良に関する。特に、本発明は、明らかに従来の注射器のように機能するものではあるが、単一の場所へというよりも、むしろ体組織の一部分上に亘って治療薬、溶液又は注入剤を提供及び注入するための注射器に関する。
【００１１】
図１及び図２に示すように、好適な実施形態では、本発明に係る注射器１００は、バレル１２０及び操作シリンダ１３０を具備する。実際の使用時には、針１１０がバレル１２０に取り付けられる。針１１０は、バレル１２０に固定的に取り付けられていても良いし、取替え可能とされていて、使用する際にのみ取り付けられても良い。バレル１２０はバレル片側アーム１２１を有する。このバレル１２０は少なくともその一部が操作シリンダ１３０の中に位置する。操作シリンダ１３０は、該操作シリンダ１３０内でバレル１２０が容易にスライド可能なための十分な余裕を有するものの、バレル１２０の外径とほぼ等しい内径を画定する操作シリンダ内壁１３６（図５参照）を有する。図１及び図２に示すように、本発明の注射器１００が完全に縮められた時には、バレル１２０はほぼ完全に操作シリンダ１３０内に収まる状態となる。操作シリンダ１３０は、その第一端１３３のところに、使用者の親指の自然な置き位置を提供する親指当て１３１を有する。
【００１２】
本発明に係る注射器１００が伸長された状態を示す図３のように、バレル片側アーム１２１が、操作シリンダアーム通路１３４に沿って操作シリンダ第二端１３２付近に動かされると、バレル１２０は、プランジャ４００（図示せず）の作動端部から最も遠い位置に位置することになる。バレル１２０が縮められた位置から伸長された位置に移動する間、針１１０は一般的には薬剤液に連通しており、針１１０及びバレル１２０内に所望の量の薬剤液を吸引することになる。バレル１２０の再移動によって真空状態が作り出されることと、それによって薬剤液が注射器バレル１２０内へ吸引されることは、標準的な注射器の作用と同じである。
【００１３】
図４及び図５に示すように、プランジャ４００が注射器本体から外側に延び出ていて、且つバレル１２０内に薬剤液を吸引するためにそのプランジャを後方に引くことにより真空を形成するようになった従来の注射器とは異なり、本発明に係るプランジャ４００は、操作シリンダ第一端１３３の付近のところで、操作シリンダ１３０の内部に一体的に且つ前記操作シリンダー１３０に対して所定の位置に取り付けられている。したがって、この操作シリンダ１３０の動きは、プランジャ４００のバレル１２０内への動きと一致することになる。つまり、プランジャ４００は、バレル１２０に対して、操作シリンダ１３０が動く方向と同じ方向に同時にのみ動くことになる。
【００１４】
次に、本発明に係るバレル１２０の詳細が描かれている図６及び図７を参照する。バレル１２０は第一端１２４と第二端１２３を有する。針１１０は第二端１２３のところでバレル１２０と連通する。プランジャ４００はバレル１２０の第一端１２４のところでバレル１２０の内部通路１２２に入る。さらに、バレル第一端１２４のところ又はその近傍に、バレル片側アーム１２１が取り付けられる。バレル１２０と操作シリンダ１３０との間の関連は、バレル第一端１２４の近傍に位置するバレルプランジャ開口部１２５において提供される。
【００１５】
バレル片側アーム１２１がバレル１２０の片側側面上に設けられ、それが操作シリンダ１３０を越えて伸び出ていること、及び操作シリンダ１３０に親指当て１３１が設けられていることが、体内の治療対象となる標的領域に沿って溶液を提供及び射出するという、本発明が最終目的とする本発明の注射器１００の動作を達成させるものである。伝統的な従来の注射器は、バレルの第二端のところにリング、二重ループ、又は他の延長部を具えており、そこを操作者が二本の指で二つの側面から注射器のバレルを握れて、そして二本の指に対向する親指で駆動することによって、プランジャをバレル内に押込むことができるようになっている。本発明に係る発明はそれとは正反対の動作を行うものである。本発明の注射器は片方の側面にアームを有するので、使用者は引き金のように一本の指をバレル片側アーム１２１に掛け、そして広げた親指を操作シリンダの第一端１３３のところの親指当て１３１に置く。次に使用者は、親指と腕を所定に位置に維持したまま、引き金を引くようにバレル片側アーム１２１を親指当て１３１に向けて引く。その結果、バレル１２０は、操作シリンダ１３０内のプランジャ４００の中へ後退駆動される。バレル１２０と共に針１１０が操作シリンダ第一端１３３と親指当て１３１の方へ移動されている間、バレル１２０内の薬液は針１１０の中へ送り込まれる。それゆえ、薬液が射出されると同時に針１１０が引き込まれることになる。
【００１６】
本発明は、従来技術を越える重要な利点を提供する。高ｐｈ放射性同位体が病気を治療するために用いられる時、放射性同位体が血液と混合することは望ましくないことである。むしろ、組織内に一直線に沿って、特に、体組織を通る針１００の通り道に沿って放射性同位体を残すことが望ましい。高ｐｈ放射性同位体は一般に組織と反応して、毛細血管の凝結、及び血流への放射性同位体の進入の妨害を引き起こす。液体の全体量の注入は、血流への放射性同位体の望ましくない損失をもたらす。放射性同位体の有効な範囲は、しばしば注入線の両側で夫々６ミリメートルの範囲というように非常に小さいので、複数の注入線が用いられることが理想的である。それぞれが注射針の通り道に相当する複数の注入線によって、腫瘍のかなりの部分を覆い、それにより、潜在的には腫瘍内に９０％近くの放射性同位体が残留してそこで有効に作用し、他方、最小限の部分が体の残りの部分に入るのみで、量的には、現行の方法よりも、傷害のリスクを十分に低減できることになる。
【００１７】
この装置のさらなる利点は、注射器の径が針の直径と同じか又はそれより小さいので、ゼロ差圧を提供することである。
【００１８】
これまでの説明から明らかなように、意図された操作は、使用者がそこに直接圧力を加える必要がない、親指当て１３１のための面を提供することによって可能になったとも言える。
【００１９】
他の実施形態を示す図８のように、この操作は、針１１０よりもむしろカテーテル１５０を引っ込めながら、その引っ込めている間に、カテーテル１５０を通して流体を体内へ導入するために利用されても良い。そのような使用では、バレル１２０が、例えばＩＶチューブで構わないパイプ１５２を介して外部液体供給源１５１との流体結合を提供するための外部流体開口部１２６を備えることが要求される。外部液体供給源１５１は、本発明の注射器が無ければカテーテル１５０へ液体の流れを提供する。本発明では、このことが、外部液体供給源１５１のバレル１２０への連結によって、好ましくは、外部流体開口部１２６と一直線上に揃って設けられた流体供給通路１３５を通る結合によって達成される。
【００２０】
本発明の精神又は請求の範囲を逸脱しない範囲において、開示した実施形態について種々の代替及び／又は変更を行っても良い。
【符号の説明】
【００２１】
１００    注射器
１１０    針
１２０    バレル
１２１    バレル片側アーム
１２３    バレル第二端
１２４    バレル第一端
１２６    外部流体開口部
１３０    操作シリンダ
１３１    親指当て
１３２    操作シリンダ第二端
１３３    操作シリンダ第一端
１３４    操作シリンダアーム通路
１３５    流体供給通路
１５１    外部流体供給源
１５２    パイプ
４００    プランジャ
【図１】
0005563569.tif 000002
【図２】
0005563569.tif 000003
【図３】
0005563569.tif 000004
【図４】
0005563569.tif 000005
【図５】
0005563569.tif 000006
【図６】
0005563569.tif 000007
【図７】
0005563569.tif 000008
【図８】
0005563569.tif 000009